(57)【特許請求の範囲】
【請求項１】
給湯熱交換器と追い焚き暖房熱交換器とが共通のフィンで一体化されて、その下方にバーナーが配置されており、給湯せずに暖房運転するときは、給湯熱交換器の湯温に応じて、バーナーを運転・停止させる給湯器と、
前記追い焚き暖房熱交換器に接続され、追い焚き暖房熱交換器から出て浴槽に向かう湯水が流れる追い焚き循環往き通路と、
前記浴槽に接続され、浴槽から出て前記追い焚き暖房熱交換器に向かう湯水が流れる追い焚き循環戻り通路と、
前記追い焚き循環往き通路の途中に配置される風呂往き三方弁と、
前記追い焚き循環戻り通路の途中に配置される風呂戻り三方弁と、
前記風呂往き三方弁に接続され、風呂往き三方弁から出て暖房熱交換器に向かう湯水が流れる暖房往き通路と、
前記暖房熱交換器に接続され、暖房熱交換器から出て風呂戻り三方弁に向かう湯水が流れる暖房戻り通路と、
前記暖房戻り通路の途中に設けられるエアセパレーターと、
一端が前記エアセパレーターの上面に接続され、他端が前記風呂往き三方弁と前記浴槽との間の追い焚き循環往き通路に合流するオーバーフローパイプと、
前記暖房往き通路に設けられ、暖房往き通路を流れる湯水の温度を検出する暖房往き湯温センサーと、
前記風呂戻り三方弁を経由して前記追い焚き循環戻り通路を流れる湯水の温度を検出する戻り湯温センサーと、
湯張りが完了して湯温が適温になるまで追い焚き運転が実行されてから前記追い焚き暖房熱交換器と前記暖房熱交換器とが連通するように前記風呂往き三方弁が切り替えられるとともに前記追い焚き暖房熱交換器と前記エアセパレーターとが連通するように前記風呂戻り三方弁が切り替えられた状態で行われる暖房運転中に、前記暖房往き湯温センサーを通過した湯が、前記暖房熱交換器を経由して、前記追い焚き循環戻り通路の戻り湯温センサーを通過するまでに要する時間を遡ったタイミングで、前記暖房往き湯温センサーで検出した湯温に基づいて上限判定値及び下限判定値を設定する判定域設定部と、
前記戻り湯温センサーで検出した温度が、前記下限判定値よりも小さいときには前記風呂戻り三方弁の異常を判定し、前記上限判定値よりも大きいときには前記風呂往き三方弁の異常を判定する異常判定部と、
を有する給湯システム。
【請求項２】
給湯熱交換器と追い焚き暖房熱交換器とが共通のフィンで一体化されて、その下方にバーナーが配置されており、給湯せずに暖房運転するときは、給湯熱交換器の湯温に応じて、バーナーを運転・停止させる給湯器と、
前記追い焚き暖房熱交換器に接続され、追い焚き暖房熱交換器から出て浴槽に向かう湯水が流れる追い焚き循環往き通路と、
前記浴槽に接続され、浴槽から出て前記追い焚き暖房熱交換器に向かう湯水が流れる追い焚き循環戻り通路と、
前記追い焚き循環往き通路の途中に配置される風呂往き三方弁と、
前記追い焚き循環戻り通路の途中に配置される風呂戻り三方弁と、
前記風呂往き三方弁に接続され、風呂往き三方弁から出て暖房熱交換器に向かう湯水が流れる暖房往き通路と、
前記暖房熱交換器に接続され、暖房熱交換器から出て風呂戻り三方弁に向かう湯水が流れる暖房戻り通路と、
前記暖房戻り通路の途中に設けられるエアセパレーターと、
一端が前記エアセパレーターの上面に接続され、他端が前記風呂往き三方弁と前記浴槽との間の追い焚き循環往き通路に合流するオーバーフローパイプと、
前記暖房往き通路に設けられ、暖房往き通路を流れる湯水の温度を検出する暖房往き湯温センサーと、
前記風呂戻り三方弁を経由して前記追い焚き循環戻り通路を流れる湯水の温度を検出する戻り湯温センサーと、
湯張りが完了して湯温が適温になるまで追い焚き運転が実行されてから前記追い焚き暖房熱交換器と前記暖房熱交換器とが連通するように前記風呂往き三方弁が切り替えられるとともに前記追い焚き暖房熱交換器と前記エアセパレーターとが連通するように前記風呂戻り三方弁が切り替えられた状態で行われる暖房運転中であって、前記暖房往き湯温センサーを通過した湯が、前記暖房熱交換器を経由して、前記追い焚き循環戻り通路の戻り湯温センサーを通過するまでに要する時間を遡ったタイミングを含む所定期間中に、前記暖房往き湯温センサーで検出した湯温の移動平均値に基づいて上限判定値及び下限判定値を設定する判定域設定部と、
前記戻り湯温センサーで検出した温度が、前記下限判定値よりも小さいときには前記風呂戻り三方弁の異常を判定し、前記上限判定値よりも大きいときには前記風呂往き三方弁の異常を判定する異常判定部と、
を有する給湯システム。
【請求項３】
請求項１又は請求項２に記載の給湯システムにおいて、
前記判定域設定部は、暖房運転を開始してから湯温が安定するまでの所定時間が経過して前記異常判定部が異常判定を開始した後に、湯温がさらに安定するまでの時間が経過したら上限判定値及び下限判定値を再設定する、
給湯システム。
【請求項４】
請求項１から請求項３までのいずれか１項に記載の給湯システムにおいて、
前記異常判定部が前記風呂戻り三方弁の異常を判定した後、風呂戻り三方弁から漏れる湯の量が、許容湯量を超えるまでは暖房運転を中止せず、許容湯量を超えたら暖房運転を中止する、
給湯システム。
【請求項５】
請求項４に記載の給湯システムにおいて、
前記許容湯量は、浴槽タイプに応じて設定される、
給湯システム。
【請求項６】
給湯熱交換器と追い焚き暖房熱交換器とが共通のフィンで一体化されて、その下方にバーナーが配置されており、給湯せずに暖房運転するときは、給湯熱交換器の湯温に応じて、バーナーを運転・停止させる給湯器と、
前記追い焚き暖房熱交換器に接続され、追い焚き暖房熱交換器から出て浴槽に向かう湯水が流れる追い焚き循環往き通路と、
前記浴槽に接続され、浴槽から出て前記追い焚き暖房熱交換器に向かう湯水が流れる追い焚き循環戻り通路と、
前記追い焚き循環往き通路の途中に配置される風呂往き三方弁と、
前記追い焚き循環戻り通路の途中に配置される風呂戻り三方弁と、
前記風呂往き三方弁に接続され、風呂往き三方弁から出て暖房熱交換器に向かう湯水が流れる暖房往き通路と、
前記暖房熱交換器に接続され、暖房熱交換器から出て風呂戻り三方弁に向かう湯水が流れる暖房戻り通路と、
前記暖房戻り通路の途中に設けられるエアセパレーターと、
一端が前記エアセパレーターの上面に接続され、他端が前記風呂往き三方弁と前記浴槽との間の追い焚き循環往き通路に合流するオーバーフローパイプと、
を有する給湯システムの異常判定方法であって、
前記暖房往き通路に設けられた暖房往き湯温センサーを用いて、暖房往き通路を流れる湯水の温度を検出する暖房往き湯温検出工程と、
前記追い焚き循環戻り通路に設けられた戻り湯温センサーを用いて、前記風呂戻り三方弁を経由して前記追い焚き循環戻り通路を流れる湯水の温度を検出する循環戻り湯温検出工程と、
湯張りが完了して湯温が適温になるまで追い焚き運転が実行されてから前記追い焚き暖房熱交換器と前記暖房熱交換器とが連通するように前記風呂往き三方弁が切り替えられるとともに前記追い焚き暖房熱交換器と前記エアセパレーターとが連通するように前記風呂戻り三方弁が切り替えられた状態で行われる暖房運転中に、前記暖房往き湯温センサーを通過した湯が、前記暖房熱交換器を経由して、前記追い焚き循環戻り通路の戻り湯温センサーを通過するまでに要する時間を遡ったタイミングで、前記暖房往き湯温検出工程で検出した湯温に基づいて上限判定値及び下限判定値を設定する判定域設定工程と、
前記循環戻り湯温検出工程で検出した温度が、前記下限判定値よりも小さいときには前記風呂戻り三方弁の異常を判定し、前記上限判定値よりも大きいときには前記風呂往き三方弁の異常を判定する異常判定工程と、
を有する給湯システムの異常判定方法。
【請求項７】
給湯熱交換器と追い焚き暖房熱交換器とが共通のフィンで一体化されて、その下方にバーナーが配置されており、給湯せずに暖房運転するときは、給湯熱交換器の湯温に応じて、バーナーを運転・停止させる給湯器と、
前記追い焚き暖房熱交換器に接続され、追い焚き暖房熱交換器から出て浴槽に向かう湯水が流れる追い焚き循環往き通路と、
前記浴槽に接続され、浴槽から出て前記追い焚き暖房熱交換器に向かう湯水が流れる追い焚き循環戻り通路と、
前記追い焚き循環往き通路の途中に配置される風呂往き三方弁と、
前記追い焚き循環戻り通路の途中に配置される風呂戻り三方弁と、
前記風呂往き三方弁に接続され、風呂往き三方弁から出て暖房熱交換器に向かう湯水が流れる暖房往き通路と、
前記暖房熱交換器に接続され、暖房熱交換器から出て風呂戻り三方弁に向かう湯水が流れる暖房戻り通路と、
前記暖房戻り通路の途中に設けられるエアセパレーターと、
一端が前記エアセパレーターの上面に接続され、他端が前記風呂往き三方弁と前記浴槽との間の追い焚き循環往き通路に合流するオーバーフローパイプと、
を有する給湯システムの異常判定方法であって、
前記暖房往き通路に設けられた暖房往き湯温センサーを用いて、暖房往き通路を流れる湯水の温度を検出する暖房往き湯温検出工程と、
前記追い焚き循環戻り通路に設けられた戻り湯温センサーを用いて、前記風呂戻り三方弁を経由して前記追い焚き循環戻り通路を流れる湯水の温度を検出する循環戻り湯温検出工程と、
湯張りが完了して湯温が適温になるまで追い焚き運転が実行されてから前記追い焚き暖房熱交換器と前記暖房熱交換器とが連通するように前記風呂往き三方弁が切り替えられるとともに前記追い焚き暖房熱交換器と前記エアセパレーターとが連通するように前記風呂戻り三方弁が切り替えられた状態で行われる暖房運転中であって、前記暖房往き湯温センサーを通過した湯が、前記暖房熱交換器を経由して、前記追い焚き循環戻り通路の戻り湯温センサーを通過するまでに要する時間を遡ったタイミングを含む所定期間中に、前記暖房往き湯温検出工程で検出した湯温の移動平均値に基づいて上限判定値及び下限判定値を設定する判定域設定工程と、
前記循環戻り湯温検出工程で検出した温度が、前記下限判定値よりも小さいときには前記風呂戻り三方弁の異常を判定し、前記上限判定値よりも大きいときには前記風呂往き三方弁の異常を判定する異常判定工程と、
を有する給湯システムの異常判定方法。
【発明の詳細な説明】
【技術分野】
【０００１】
この発明は、給湯システム及び給湯システムの異常判定方法に関する。
【背景技術】
【０００２】
発明者らは、特許文献１にあるような、給湯熱交換器及び追い焚き暖房熱交換器を用いる給湯システムを開発中である。このようなシステムでは、使用する熱交換器を切り替えたり、また切替弁を用いて湯水の流路を切り替えることで、浴槽やカランなどへの湯の供給，浴槽の湯の追い焚き，浴室の暖房などを行うことができる。またこのシステムでは、浴室の暖房と浴槽の追い焚きを同時に行うことも可能である。この場合は、浴槽湯水を高温にして、高温の湯水を暖房に用い、暖房放熱によって温度が低下したものの、まだまだ温度が高い湯を浴槽に供給することで、効率的に浴槽を追い焚きすることができる。
【０００３】
特許文献１の給湯システムは、給湯熱交換器と追い焚き暖房熱交換器とが別々に配置され、それぞれの下に別々のガスバーナーが配置された二缶タイプの給湯器を使用していた。これに対して、発明者らは、上下に配置された給湯熱交換器及び追い焚き暖房熱交換器が共通のフィンで一体化されて、その下にガスバーナーが配置された一缶タイプの給湯器を使用する給湯システムを開発している。一缶タイプの給湯器では、ひとつのガスバーナーが給湯熱交換器及び追い焚き暖房熱交換器を加熱するので、二缶タイプの給湯器に比べて小形化することができ、また価格も安価にすることが可能である。
【０００４】
ところが、一缶タイプの給湯器では給湯せずに追い焚き・暖房する場合にもガスバーナーの熱が給湯熱交換器に伝達するので、給湯熱交換器内の湯水が沸騰するおそれがある。給湯熱交換器の湯が沸騰した状態で出湯端末の栓が開けられると、沸騰した湯が出湯端末から流出することとなり危険である。
【０００５】
このような事態を防止すべく、特許文献２のように、給湯せずに追い焚き・暖房する場合には、給湯熱交換器に設けられた湯温センサーの検出温度に基づいてガスバーナーをオンオフして燃焼・停止を繰り返すことで、給湯熱交換器内の湯水の沸騰を防止することが考えられる。
【先行技術文献】
【特許文献】
【０００６】
【特許文献１】特許第３６２０３５７号公報
【特許文献２】特開平１０−９６７０号公報
【発明の概要】
【発明が解決しようとする課題】
【０００７】
しかしながら、一缶タイプの給湯器は、給湯せずに追い焚き・暖房する場合にガスバーナーをオンオフして燃焼・停止を繰り返すということに起因して、湯水の流路を切り替える切替弁に不具合が生じても、その不具合を判定することが困難であるという問題があった。
【０００８】
本発明は、このような問題点に着目してなされた。本発明の目的は、万一、湯水の流路を切り替える切替弁に不具合が生じても、その不具合を検出可能な給湯システム及び給湯システムの異常判定方法を提供することである。
【課題を解決するための手段】
【０００９】
本発明は以下のような解決手段によって前記課題を解決する。なお、理解を容易にするために本発明の実施形態に対応する符号を付するが、これに限定されるものではない。また符号を付して説明した構成は適宜代替しても改良してもよい。
【００１０】
第１の発明は、給湯熱交換器（２１）と追い焚き暖房熱交換器（２２）とが共通のフィン（２０１）で一体化されて、その下方にバーナー（２３）が配置されており、給湯せずに暖房運転するときは、給湯熱交換器（２１）の湯温に応じて、バーナー（２３）を運転・停止させる給湯器（２）と、前記追い焚き暖房熱交換器（２２）に接続され、追い焚き暖房熱交換器（２２）から出て浴槽（４０）に向かう湯水が流れる追い焚き循環往き通路（２２１，４１１）と、前記浴槽（４０）に接続され、浴槽（４０）から出て前記追い焚き暖房熱交換器（２２）に向かう湯水が流れる追い焚き循環戻り通路（２２２，４１２）と、前記追い焚き循環往き通路（２２１，４１１）の途中に配置される風呂往き三方弁（３１）と、前記追い焚き循環戻り通路（２２２，４１２）の途中に配置される風呂戻り三方弁（３２）と、前記風呂往き三方弁（３１）に接続され、風呂往き三方弁（３１）から出て暖房熱交換器（５１）に向かう湯水が流れる暖房往き通路（５１１）と、前記暖房熱交換器（５１）に接続され、暖房熱交換器（５１）から出て風呂戻り三方弁（３２）に向かう湯水が流れる暖房戻り通路（５１２，３３１）と、前記暖房戻り通路（５１２，３３１）の途中に設けられるエアセパレーター（３３）と、一端が前記エアセパレーター（３３）の上面に接続され、他端が前記風呂往き三方弁（３１）と前記浴槽（４０）との間の追い焚き循環往き通路（４１１）に合流するオーバーフローパイプ（３３２）と、前記暖房往き通路（５１１）に設けられ、暖房往き通路（５１１）を流れる湯水の温度を検出する暖房往き湯温センサー（５１１１）と、前記風呂戻り三方弁（３２）を経由して前記追い焚き循環戻り通路（２２２）を流れる湯水の温度を検出する戻り湯温センサー（２２２２）と、湯張りが完了して湯温が適温になるまで追い焚き運転が実行されてから前記追い焚き暖房熱交換器（２２）と前記暖房熱交換器（５１）とが連通するように前記風呂往き三方弁（３１）が切り替えられるとともに前記追い焚き暖房熱交換器（２２）と前記エアセパレーター（３３）とが連通するように前記風呂戻り三方弁（３２）が切り替えられた状態で行われる暖房運転中に、前記暖房往き湯温センサー（５１１１）を通過した湯が、前記暖房熱交換器（５１）を経由して、前記追い焚き循環戻り通路（２２２，４１２）の戻り湯温センサー（２２２２）を通過するまでに要する時間を遡ったタイミングで、前記暖房往き湯温センサー（５１１１）で検出した湯温に基づいて上限判定値及び下限判定値を設定する判定域設定部（Ｓ２７１，Ｓ２７１１，Ｓ２７１２，Ｓ２７１３）と、前記戻り湯温センサー（２２２２）で検出した温度が、前記下限判定値よりも小さいときには前記風呂戻り三方弁（３２）の異常を判定し、前記上限判定値よりも大きいときには前記風呂往き三方弁（３１）の異常を判定する異常判定部（Ｓ２７）とを有する給湯システムである。
【００１１】
第２の発明は、給湯熱交換器（２１）と追い焚き暖房熱交換器（２２）とが共通のフィン（２０１）で一体化されて、その下方にバーナー（２３）が配置されており、給湯せずに暖房運転するときは、給湯熱交換器（２１）の湯温に応じて、バーナー（２３）を運転・停止させる給湯器（２）と、前記追い焚き暖房熱交換器（２２）に接続され、追い焚き暖房熱交換器（２２）から出て浴槽（４０）に向かう湯水が流れる追い焚き循環往き通路（２２１，４１１）と、前記浴槽（４０）に接続され、浴槽（４０）から出て前記追い焚き暖房熱交換器（２２）に向かう湯水が流れる追い焚き循環戻り通路（２２２，４１２）と、前記追い焚き循環往き通路（２２１，４１１）の途中に配置される風呂往き三方弁（３１）と、前記追い焚き循環戻り通路（２２２，４１２）の途中に配置される風呂戻り三方弁（３２）と、前記風呂往き三方弁（３１）に接続され、風呂往き三方弁（３１）から出て暖房熱交換器（５１）に向かう湯水が流れる暖房往き通路（５１１）と、前記暖房熱交換器（５１）に接続され、暖房熱交換器（５１）から出て風呂戻り三方弁（３２）に向かう湯水が流れる暖房戻り通路（５１２，３３１）と、前記暖房戻り通路（５１２，３３１）の途中に設けられるエアセパレーター（３３）と、一端が前記エアセパレーター（３３）の上面に接続され、他端が前記風呂往き三方弁（３１）と前記浴槽（４０）との間の追い焚き循環往き通路（４１１）に合流するオーバーフローパイプ（３３２）と、前記暖房往き通路（５１１）に設けられ、暖房往き通路（５１１）を流れる湯水の温度を検出する暖房往き湯温センサー（５１１１）と、前記風呂戻り三方弁（３２）を経由して前記追い焚き循環戻り通路（２２２）を流れる湯水の温度を検出する戻り湯温センサー（２２２２）と、湯張りが完了して湯温が適温になるまで追い焚き運転が実行されてから前記追い焚き暖房熱交換器（２２）と前記暖房熱交換器（５１）とが連通するように前記風呂往き三方弁（３１）が切り替えられるとともに前記追い焚き暖房熱交換器（２２）と前記エアセパレーター（３３）とが連通するように前記風呂戻り三方弁（３２）が切り替えられた状態で行われる暖房運転中であって、前記暖房往き湯温センサー（５１１１）を通過した湯が、前記暖房熱交換器（５１）を経由して、前記追い焚き循環戻り通路（２２２，４１２）の戻り湯温センサー（２２２２）を通過するまでに要する時間を遡ったタイミングを含む所定期間中に、前記暖房往き湯温センサー（５１１１）で検出した湯温の移動平均値に基づいて上限判定値及び下限判定値を設定する判定域設定部（Ｓ２７１，Ｓ２７１１，Ｓ２７１２，Ｓ２７１３）と、前記戻り湯温センサー（２２２２）で検出した温度が、前記下限判定値よりも小さいときには前記風呂戻り三方弁（３２）の異常を判定し、前記上限判定値よりも大きいときには前記風呂往き三方弁（３１）の異常を判定する異常判定部（Ｓ２７）とを有する給湯システムである。
【００１４】
第３の発明は、第１又は第２の発明において、前記判定域設定部（Ｓ２７１，Ｓ２７１１，Ｓ２７１２，Ｓ２７１３）は、暖房運転を開始してから湯温が安定するまでの所定時間が経過して前記異常判定部（Ｓ２７）が異常判定を開始した後に、湯温がさらに安定するまでの時間が経過したら上限判定値及び下限判定値を再設定する給湯システムである。
【００１５】
第４の発明は、第１から第３までのいずれかの発明において、前記異常判定部（Ｓ２７）が前記風呂戻り三方弁（３２）の異常を判定した後、風呂戻り三方弁（３２）から漏れる湯の量が、許容湯量を超えるまでは暖房運転を中止せず、許容湯量を超えたら暖房運転を中止する給湯システムである。
【００１６】
第５の発明は、第４の発明において、前記許容湯量は、浴槽タイプに応じて設定される給湯システムである。
【００１７】
第６の発明は、給湯熱交換器（２１）と追い焚き暖房熱交換器（２２）とが共通のフィン（２０１）で一体化されて、その下方にバーナー（２３）が配置されており、給湯せずに暖房運転するときは、給湯熱交換器（２１）の湯温に応じて、バーナー（２３）を運転・停止させる給湯器（２）と、前記追い焚き暖房熱交換器（２２）に接続され、追い焚き暖房熱交換器（２２）から出て浴槽（４０）に向かう湯水が流れる追い焚き循環往き通路（２２１，４１１）と、前記浴槽（４０）に接続され、浴槽（４０）から出て前記追い焚き暖房熱交換器（２２）に向かう湯水が流れる追い焚き循環戻り通路（２２２，４１２）（湯戻り管２２２及び風呂戻り管４１２）と、前記追い焚き循環往き通路（２２１，４１１）の途中に配置される風呂往き三方弁（３１）と、前記追い焚き循環戻り通路（２２２，４１２）の途中に配置される風呂戻り三方弁（３２）と、前記風呂往き三方弁（３１）に接続され、風呂往き三方弁（３１）から出て暖房熱交換器（５１）に向かう湯水が流れる暖房往き通路（５１１）と、前記暖房熱交換器（５１）に接続され、暖房熱交換器（５１）から出て風呂戻り三方弁（３２）に向かう湯水が流れる暖房戻り通路（５１２，３３１）と、前記暖房戻り通路（５１２，３３１）の途中に設けられるエアセパレーター（３３）と、一端が前記エアセパレーター（３３）の上面に接続され、他端が前記風呂往き三方弁（３１）と前記浴槽（４０）との間の追い焚き循環往き通路（４１１）に合流するオーバーフローパイプ（３３２）とを有する給湯システムの異常判定方法であって、前記暖房往き通路（５１１）に設けられた暖房往き湯温センサー（５１１１）を用いて、暖房往き通路（５１１）を流れる湯水の温度を検出する暖房往き湯温検出工程（Ｓ２３，Ｓ２３１）と、前記追い焚き循環戻り通路（２２２）に設けられた戻り湯温センサー（２２２２）を用いて、前記風呂戻り三方弁（３２）を経由して前記追い焚き循環戻り通路（２２２）を流れる湯水の温度を検出する循環戻り湯温検出工程（Ｓ２４，Ｓ２４１）と、湯張りが完了して湯温が適温になるまで追い焚き運転が実行されてから前記追い焚き暖房熱交換器（２２）と前記暖房熱交換器（５１）とが連通するように前記風呂往き三方弁（３１）が切り替えられるとともに前記追い焚き暖房熱交換器（２２）と前記エアセパレーター（３３）とが連通するように前記風呂戻り三方弁（３２）が切り替えられた状態で行われる暖房運転中に、前記暖房往き湯温センサー（５１１１）を通過した湯が、前記暖房熱交換器（５１）を経由して、前記追い焚き循環戻り通路（２２２，４１２）の戻り湯温センサー（２２２２）を通過するまでに要する時間を遡ったタイミングで、前記暖房往き湯温検出工程（Ｓ２３，Ｓ２３１）で検出した湯温に基づいて上限判定値及び下限判定値を設定する判定域設定工程（Ｓ２７１，Ｓ２７１１，Ｓ２７１２，Ｓ２７１３）と、前記循環戻り湯温検出工程で検出した温度が、前記下限判定値よりも小さいときには風呂戻り三方弁（３２）の異常を判定し、前記上限判定値よりも大きいときには風呂往き三方弁（３１）の異常を判定する異常判定工程（Ｓ２７）とを有する給湯システムの異常判定方法である。
第７の発明は、給湯熱交換器（２１）と追い焚き暖房熱交換器（２２）とが共通のフィン（２０１）で一体化されて、その下方にバーナー（２３）が配置されており、給湯せずに暖房運転するときは、給湯熱交換器（２１）の湯温に応じて、バーナー（２３）を運転・停止させる給湯器（２）と、前記追い焚き暖房熱交換器（２２）に接続され、追い焚き暖房熱交換器（２２）から出て浴槽（４０）に向かう湯水が流れる追い焚き循環往き通路（２２１，４１１）と、前記浴槽（４０）に接続され、浴槽（４０）から出て前記追い焚き暖房熱交換器（２２）に向かう湯水が流れる追い焚き循環戻り通路（２２２，４１２）（湯戻り管２２２及び風呂戻り管４１２）と、前記追い焚き循環往き通路（２２１，４１１）の途中に配置される風呂往き三方弁（３１）と、前記追い焚き循環戻り通路（２２２，４１２）の途中に配置される風呂戻り三方弁（３２）と、前記風呂往き三方弁（３１）に接続され、風呂往き三方弁（３１）から出て暖房熱交換器（５１）に向かう湯水が流れる暖房往き通路（５１１）と、前記暖房熱交換器（５１）に接続され、暖房熱交換器（５１）から出て風呂戻り三方弁（３２）に向かう湯水が流れる暖房戻り通路（５１２，３３１）と、前記暖房戻り通路（５１２，３３１）の途中に設けられるエアセパレーター（３３）と、一端が前記エアセパレーター（３３）の上面に接続され、他端が前記風呂往き三方弁（３１）と前記浴槽（４０）との間の追い焚き循環往き通路（４１１）に合流するオーバーフローパイプ（３３２）とを有する給湯システムの異常判定方法であって、前記暖房往き通路（５１１）に設けられた暖房往き湯温センサー（５１１１）を用いて、暖房往き通路（５１１）を流れる湯水の温度を検出する暖房往き湯温検出工程（Ｓ２３，Ｓ２３１）と、前記追い焚き循環戻り通路（２２２）に設けられた戻り湯温センサー（２２２２）を用いて、前記風呂戻り三方弁（３２）を経由して前記追い焚き循環戻り通路（２２２）を流れる湯水の温度を検出する循環戻り湯温検出工程（Ｓ２４，Ｓ２４１）と、湯張りが完了して湯温が適温になるまで追い焚き運転が実行されてから前記追い焚き暖房熱交換器（２２）と前記暖房熱交換器（５１）とが連通するように前記風呂往き三方弁（３１）が切り替えられるとともに前記追い焚き暖房熱交換器（２２）と前記エアセパレーター（３３）とが連通するように前記風呂戻り三方弁（３２）が切り替えられた状態で行われる暖房運転中であって、前記暖房往き湯温センサー（５１１１）を通過した湯が、前記暖房熱交換器（５１）を経由して、前記追い焚き循環戻り通路（２２２，４１２）の戻り湯温センサー（２２２２）を通過するまでに要する時間を遡ったタイミングを含む所定期間中に、前記暖房往き湯温検出工程（Ｓ２３，Ｓ２３１）で検出した湯温に基づいて上限判定値及び下限判定値を設定する判定域設定工程（Ｓ２７１，Ｓ２７１１，Ｓ２７１２，Ｓ２７１３）と、前記循環戻り湯温検出工程で検出した温度が、前記下限判定値よりも小さいときには風呂戻り三方弁（３２）の異常を判定し、前記上限判定値よりも大きいときには風呂往き三方弁（３１）の異常を判定する異常判定工程（Ｓ２７）とを有する給湯システムの異常判定方法である。
【発明の効果】
【００１８】
この態様によれば、暖房往き湯温センサーで検出した湯温に基づいて判定域（上限判定値及び下限判定値）を設定し、戻り湯温センサーで検出した温度が、下限判定値よりも小さいときには風呂戻り三方弁３２の異常を判定し、上限判定値よりも大きいときには風呂往き三方弁３１の異常を判定するので、湯温が変動するようなシステムであっても、風呂往き三方弁３１・風呂戻り三方弁３２の異常を判定することが可能である。
【図面の簡単な説明】
【００１９】
【図１】図１は、暖房機能付きの給湯システム１の基本構成を示す図である。
【図２】図２は、エアパージ運転について説明する図である。
【図３】図３は、湯張り運転について説明する図である。
【図４】図４は、追い焚き運転について説明する図である。
【図５】図５は、暖房運転について説明する図である。
【図６】図６は、浴室の暖房と浴槽の追い焚きの同時運転について説明する図である。
【図７】図７は、風呂往き三方弁３１・風呂戻り三方弁３２の一般的な内部構造を示す図である。
【図８】図８は、風呂戻り三方弁３２が故障して中間開度で停止した場合について説明する図である。
【図９】図９は、風呂往き三方弁３１が故障して中間開度で停止した場合について説明する図である。
【図１０】図１０は、風呂往き三方弁３１及び風呂戻り三方弁３２が故障して中間開度で停止した場合について説明する図である。
【図１１】図１１は、本実施形態において、ガスバーナー２３をオンオフさせる暖房運転中に風呂温度センサー２２２２が検出した温度信号を示す図である。
【図１２】図１２は、本実施形態において、ガスバーナー２３をオンオフさせる暖房運転中に風呂温度センサー２２２２が検出した温度信号と、暖房温度センサー５１１１が検出した温度信号とをひとつの図面に示した図である。
【図１３】図１３は、暖房温度センサー５１１１の温度信号に基づいて判定値（判定域）を設定する考え方について説明する図である。
【図１４】図１４は、判定値について説明する図である。
【図１５】図１５は、暖房温度センサー５１１１の温度信号に基づいて設定した判定域（ＯＫゾーン）を示す図である。
【図１６】図１６は、暖房運転中のガスバーナー２３のオンオフ制御について説明するフローチャートである。
【図１７】図１７は、風呂往き三方弁３１・風呂戻り三方弁３２の異常診断制御について説明するフローチャートである。
【図１８】図１８は、異常判定処理について説明するフローチャートである。
【図１９】図１９は、風呂戻り三方弁３２の異常時処理について説明するフローチャートである。
【図２０】図２０は、漏れ割合の算出処理について説明するフローチャートである。
【図２１】図２１は、暖房運転を中止するタイミングの算出処理について説明するフローチャートである。
【図２２】図２２は、浴槽タイプを示す図である。
【図２３】図２３は、コントローラーの処理を説明する図である。
【図２４】図２４は、第２実施形態の風呂往き三方弁３１・風呂戻り三方弁３２の異常診断制御について説明するフローチャートである。
【図２５】図２５は、第２実施形態を実行したときの判定値及びＴ２（Ｎ）の変化を示す図である。
【図２６】図２６は、第３実施形態の異常判定処理について説明するフローチャートである。
【図２７】図２７は、第３実施形態を実行したときの判定値及びＴ２（Ｎ）の変化を示す図である。
【図２８】図２８は、風呂往き三方弁３１が故障の場合の判定値及びＴ２（Ｎ）の変化を示す図である。
【発明を実施するための形態】
【００２０】
以下、添付図面を参照しながら本発明の実施形態について説明する。
【００２１】
（第１実施形態）
図１は、暖房機能付きの給湯システム１の基本構成を示す図である。
【００２２】
給湯システム１は、主として給湯器２及び温水分岐ユニット３を含む。
【００２３】
給湯器２には、給湯熱交換器２１及び追い焚き暖房熱交換器２２が上下に配置されて共通のフィン２０１で一体化されている。その下には、ガスバーナー２３が配置されている。ガスバーナー２３の下には、燃焼用の空気を供給する燃焼ファンが設けられている。ガスバーナー２３は、ガス供給管２３１から供給された燃料ガスを燃焼して、給湯熱交換器２１及び追い焚き暖房熱交換器２２を加熱する。
【００２４】
給湯熱交換器２１の入口には、入水管２１１が接続される。入水管２１１には上水道の水が流れる。上水道の水は、入水管２１１を通って給湯熱交換器２１に供給される。なお入水管２１１を流れる水の流量は、流量センサー２１１１で検出される。
【００２５】
給湯熱交換器２１の出口には、出湯管２１２が接続される。出湯管２１２には給湯熱交換器２１で加熱された湯が流れる。給湯熱交換器２１で加熱された湯は、出湯管２１２を通って、カランやシャワーヘッド等の出湯端末６０に供給される。出湯管２１２から湯落とし込み管２１３が分岐する。この湯落とし込み管２１３は、追い焚き暖房熱交換器２２の入口に接続される湯戻り管２２２に合流する。湯落とし込み管２１３には圧力センサー２１３１が設けられる。給湯熱交換器２１の内部には、給湯熱交換器２１内の湯の温度（滞留湯温）を検出するための湯温センサー２１２１が設けられる。給湯熱交換器２１の出口には、給湯熱交換器２１を通過する湯の温度を検出するための温度センサー２１２２が設けられる。給湯熱交換器２１から出た湯にバイパス管２１４からの水を混ぜて温度が低下した湯が通る出湯管２１２には、出湯端末６０に送られる湯の温度を検出するための出湯温度センサー２１２３が設けられる。
【００２６】
追い焚き暖房熱交換器２２の出口には、湯往き管２２１の一端が接続される。湯往き管２２１の他端は、温水分岐ユニット３の風呂往き三方弁３１に接続される。追い焚き暖房熱交換器２２の入口には、湯戻り管２２２の一端が接続される。湯戻り管２２２の他端は、温水分岐ユニット３の風呂戻り三方弁３２に接続される。湯戻り管２２２には、循環ポンプ２２０が設けられる。この循環ポンプ２２０は、湯落とし込み管２１３の合流箇所よりも追い焚き暖房熱交換器２２に近い箇所に設けられている。また湯戻り管２２２には、風呂水流スイッチ２２２１及び風呂温度センサー２２２２も設けられている。風呂水流スイッチ２２２１及び風呂温度センサー２２２２は、湯落とし込み管２１３の合流箇所よりも追い焚き暖房熱交換器２２から離れた箇所に設けられている。風呂温度センサー２２２２は、たとえばサーミスターである。風呂温度センサー２２２２を使用することで、浴槽４０の湯温を検知することができる。
【００２７】
温水分岐ユニット３は、風呂往き三方弁３１と、風呂戻り三方弁３２とを含む。
【００２８】
風呂往き三方弁３１のひとつの接続口には、上述のように湯往き管２２１が接続される。風呂往き三方弁３１の別の接続口には風呂往き管４１１の一端が接続される。風呂往き管４１１の他端は、浴槽４０の循環金具４１に接続される。風呂往き三方弁３１の残りの接続口には、暖房往き管５１１の一端が接続される。暖房往き管５１１の他端は、暖房ユニット５０の暖房熱交換器５１の入口に接続されるとともに、暖房熱交換器５１の入口と出口はバイパスされる。暖房往き管５１１には暖房温度センサー５１１１が設けられている。この暖房温度センサー５１１１で、暖房熱交換器５１に流入する湯の温度を検出する。
【００２９】
風呂戻り三方弁３２のひとつの接続口には、上述のように湯戻り管２２２が接続される。風呂戻り三方弁３２の別の接続口には風呂戻り管４１２の一端が接続される。風呂戻り管４１２の他端は、浴槽４０の循環金具４１に接続される。風呂戻り三方弁３２の残りの接続口には、エアセパレーター接続管３３１の一端が接続される。エアセパレーター接続管３３１の他端は、エアセパレーター３３の底面に接続される。エアセパレーター３３は、湯を貯める空間を有している。暖房熱交換器５１の出口に接続される暖房戻り管５１２の他端が、エアセパレーター３３の底面に接続される。
【００３０】
このようになっているので、湯往き管２２１及び風呂往き管４１１が連通するように風呂往き三方弁３１を切り替えて、風呂戻り管４１２及び湯戻り管２２２が連通するように風呂戻り三方弁３２を切り替えた状態で、循環ポンプ２２０が作動すると、給湯器２で加熱された湯が浴槽４０を循環する。
【００３１】
湯往き管２２１及び暖房往き管５１１が連通するように風呂往き三方弁３１を切り替えるとともに、エアセパレーター接続管３３１及び湯戻り管２２２が連通するように風呂戻り三方弁３２を切り替えた状態で、循環ポンプ２２０が作動すると、給湯器２で加熱された湯が暖房ユニット５０の暖房熱交換器５１及びエアセパレーター３３を循環する。
【００３２】
なおエアセパレーター３３の上面には、オーバーフローパイプ３３２の一端が接続されている。オーバーフローパイプ３３２の他端は、風呂往き管４１１に合流する。
【００３３】
図中、２００は給湯器２のコントローラー、３００は温水分岐ユニット３のコントローラー、５２は暖房ユニット５０の室温検知センサーである。
【００３４】
給湯器コントローラー２００にはリモコン（不図示）が接続され、リモコンが操作されて給湯温度や風呂温度が設定される。カランやシャワーヘッド等の出湯端末６０の栓が開かれると、出湯温度センサー２１２３によって検出される出湯温度が、給湯設定温度となるように、ガスバーナー２３の燃焼が調整されて給湯熱交換器２１が加熱される。また、風呂の追い焚き燃焼時には、風呂温度センサー２２２２によって検出される風呂温度が、風呂設定温度となるように、ガスバーナー２３の燃焼が調整されて、追い焚き暖房熱交換器２２が加熱される。
【００３５】
ところで、この種の一缶二水路給湯器においては、上述の如く、給湯燃焼と風呂の追い焚き燃焼とが共通のガスバーナー２３によって行われる。そして、このガスバーナー２３の燃焼によって加熱される給湯熱交換器２１と追い焚き暖房熱交換器２２とが上下に配置されている。そのため、給湯することなく追い焚き・暖房するときにも、ガスバーナー２３の熱が給湯熱交換器２１に伝達することとなり、給湯熱交換器２１内の湯水の温度が上昇する。この状態が継続すると、給湯熱交換器２１内の湯が沸騰することがあり、出湯端末６０が開栓されると、給湯熱交換器２１内の沸騰した湯が給湯されることになり、危険である。
【００３６】
そこで、このような一缶二水路給湯器においては、給湯燃焼が行われることなく風呂の追い焚き燃焼のみが行われる風呂単独の追い焚き燃焼時や給湯燃焼が行われることなく暖房運転燃焼のみが行われる暖房単独燃焼時などには、給湯熱交換器２１内の湯の温度（滞留湯温）を湯温センサー２１２１で検出して、給湯熱交換器２１の湯水が沸騰する前にガスバーナー２３を停止し、給湯熱交換器２１側に湯水の温度がある程度低下したら再びガスバーナー２３を燃焼する動作を繰り返すようにしている。
【００３７】
続いて以下では具体的な運転シーンに沿った給湯システム１の運転についてさらに詳しく説明する。
【００３８】
リモコンが操作されて入浴予定時刻として１８時がセットされた場合を例に挙げて、給湯システム１の作動について説明する。なお入浴予定時刻（１８時）の前に浴室の暖房も完了させる。
【００３９】
この場合は、入浴予定時刻（１８時）の３０分前にシステムが作動を開始する。最初にエアパージ運転を実行する。エアパージ運転では、図２に示されるように、追い焚き暖房熱交換器２２と暖房熱交換器５１とが連通するように風呂往き三方弁３１を切り替えるとともに、追い焚き暖房熱交換器２２とエアセパレーター３３とが連通するように風呂戻り三方弁３２を切り替える。この状態で、上水道の水を供給すると、水は入水管２１１を流れて給湯熱交換器２１で加熱され、出湯管２１２→湯落とし込み管２１３と流れた後、湯戻り管２２２で２つの流れに分流する。なお図中、湯水温度の概略をドットの濃淡で表現した。ドットが濃いところは湯水温度が高く、ドットが淡いところは湯水温度が低い。図２中は２つの流れが判りやすいように濃淡を付けているが、エアパージ運転中は暖房ファンを運転しないので、ほぼ同じ温度となっている。
【００４０】
分流したひとつの流れは、湯戻り管２２２→追い焚き暖房熱交換器２２、という流れであり、追い焚き暖房熱交換器２２でさらに加熱されて、湯往き管２２１→風呂往き三方弁３１→暖房往き管５１１→暖房熱交換器５１→暖房戻り管５１２、と流れてエアセパレーター３３に到達する。分流したもうひとつ流れは、湯戻り管２２２→風呂戻り三方弁３２→エアセパレーター３３、という流れである。このように、湯戻り管２２２で２つに分流した流れは、エアセパレーター３３で合流する。なお暖房熱交換器５１が冷えていれば、暖房熱交換器５１から出た湯水は、暖房熱交換器５１に奪われる熱量だけ温度が低下することとなる。
【００４１】
そして、エアセパレーター３３から、オーバーフローパイプ３３２→風呂往き管４１１→循環金具４１、と流れて浴槽４０に到達する。このように湯が流れることで、配管中の空気がパージされる。なお仕様にもよるが、２〜３リットル程度の湯水が流れれば、エアパージが完了する。給水圧によって湯水が毎分２リットル程度流れればこのエアパージは、約１分程度で完了する。
【００４２】
エアパージが完了したら、浴槽４０が所望の湯量になるまで、湯張り運転を実行する。この場合は、図３に示されるように、追い焚き暖房熱交換器２２と浴槽４０とが連通するように風呂往き三方弁３１及び風呂戻り三方弁３２を切り替える。この状態で上水道の水を供給すると、水は入水管２１１を流れて給湯熱交換器２１で加熱されて出湯管２１２→湯落とし込み管２１３と流れた後、湯戻り管２２２で２つの流れに分流する。
【００４３】
ひとつの流れは、湯戻り管２２２→追い焚き暖房熱交換器２２、という流れであり、追い焚き暖房熱交換器２２でさらに加熱されて、湯往き管２２１→風呂往き三方弁３１→風呂往き管４１１→循環金具４１と流れて浴槽４０に到達する。もうひとつ流れは、湯戻り管２２２→風呂戻り三方弁３２→風呂戻り管４１２→循環金具４１（浴槽４０）という流れである。このように、給湯熱交換器２１で加熱された湯は、途中で２系統に分流して浴槽４０に供給される。この湯張り運転は、浴槽４０が所望の湯量になるまで行われる。なお浴槽４０の湯量Ｑは、圧力センサー２１３１で検出された水圧ＰをＰＱ線図に適合することで求められる。
【００４４】
湯張りが完了したら、湯温が適温になるまで追い焚き運転が実行される。この場合は、図４に示されるように、風呂往き三方弁３１及び風呂戻り三方弁３２が、追い焚き暖房熱交換器２２と浴槽４０とを連通させた状態で循環ポンプ２２０を作動させる。すると、浴槽４０の湯水が、循環金具４１→風呂戻り管４１２→風呂戻り三方弁３２→湯戻り管２２２→追い焚き暖房熱交換器２２→湯往き管２２１→風呂往き三方弁３１→風呂往き管４１１→循環金具４１→浴槽４０、と循環し、追い焚き暖房熱交換器２２で加熱される。なおこの場合、給湯せずに追い焚きのみするが、ガスバーナー２３の熱が給湯熱交換器２１にも伝達するので、給湯熱交換器２１内の湯水が沸騰するおそれがある。給湯熱交換器２１の湯が沸騰した状態で出湯端末６０の栓が開けられると、沸騰した湯が出湯端末６０から流出することとなり危険である。そこでこの場合は、給湯熱交換器２１に設けられた湯温センサー２１２１の検出温度を見ながらガスバーナー２３をオンオフして燃焼・停止を繰り返すことで、給湯熱交換器２１内で湯水が沸騰することを防止しながら追い焚きする。入浴予定時刻（１８時）の１５分程度前までには湯が適温になって追い焚きが完了する。
【００４５】
セットされている入浴予定時刻の１０分程度前になったら、暖房運転が開始される。この場合は、図５に示されるように、風呂往き三方弁３１を切り替えて、追い焚き暖房熱交換器２２と暖房熱交換器５１とを連通させるとともに、風呂戻り三方弁３２を切り替えて、追い焚き暖房熱交換器２２とエアセパレーター３３とを連通させる。この状態で循環ポンプ２２０を作動させる。すると、追い焚き暖房熱交換器２２で加熱されて７０℃程度になった湯が、湯往き管２２１→風呂往き三方弁３１→暖房往き管５１１、と流れて暖房熱交換器５１に達する。暖房熱交換器５１で、湯の熱が放熱されて、浴室内を暖めることとなる。暖房熱交換器５１を通った湯は、６０℃程度まで温度が下がり、暖房戻り管５１２→エアセパレーター３３→エアセパレーター接続管３３１→風呂戻り三方弁３２→湯戻り管２２２、と流れて、再び、追い焚き暖房熱交換器２２を流れて加熱される。
【００４６】
この暖房運転では、給湯することなく暖房のみするが、ガスバーナー２３の熱が給湯熱交換器２１にも伝達するので、給湯熱交換器２１内の湯水が沸騰するおそれがある。そこでこの場合は、給湯熱交換器２１に設けられた湯温センサー２１２１の検出温度を見ながらガスバーナー２３をオンオフして燃焼・停止を繰り返すことで、給湯熱交換器２１内で湯水が沸騰することを防止しながら暖房する。入浴予定時刻（１８時）までには浴室が適温になって暖房運転が完了する。
【００４７】
その後、時間が経過して浴室の温度が低下するなどして、浴室の暖房と浴槽の追い焚きを同時に行う必要が出てくる場合がある。この場合は、図６に示されるように、風呂往き三方弁３１を切り替えて、追い焚き暖房熱交換器２２と暖房熱交換器５１とを連通させるとともに、風呂戻り三方弁３２を切り替えて、追い焚き暖房熱交換器２２と浴槽４０とを連通させる。この状態で循環ポンプ２２０を作動させる。すると、浴槽４０の湯水が、循環金具４１→風呂戻り管４１２→風呂戻り三方弁３２→湯戻り管２２２→追い焚き暖房熱交換器２２、と流れて、追い焚き暖房熱交換器２２で加熱されて７０℃程度になる。そしてその湯が、湯往き管２２１→風呂往き三方弁３１→暖房往き管５１１、と流れて暖房熱交換器５１に達する。暖房熱交換器５１で、湯の熱が放熱されて、浴室内を暖める。暖房熱交換器５１を通った湯は、６０℃程度まで温度が下がるものの、まだまだ温度が高い。その湯が、暖房戻り管５１２→エアセパレーター３３→オーバーフローパイプ３３２→風呂往き管４１１→循環金具４１、と流れて再び浴槽４０に到達する。このように、追い焚き暖房熱交換器２２で加熱されて７０℃程度になった湯は、暖房熱交換器５１で放熱して浴室内を暖める。そして、６０℃程度まで温度が下がるもののまだまだ温度が高い湯が浴槽に供給されることで、効率的に浴槽を追い焚きすることが可能である。
【００４８】
ところで、風呂往き三方弁３１・風呂戻り三方弁３２が故障して、中間開度で停止した状態で暖房運転を行うと、風呂の湯温が高くなり過ぎたり、浴室の暖房の効きが悪いなどの不具合が生じる。まず、予想される故障原因について説明を行う。図７に風呂往き三方弁３１・風呂戻り三方弁３２の一般的な内部構造を示す。風呂往き三方弁３１・風呂戻り三方弁３２の内部流路には、楕円形ステンレス板に２つのゴムが被せられたバタフライバルブＶがある。バタフライバルブＶは、２ヶ所（図中×印部）でシャフトＳＦＴにスポット溶接されている。シャフトＳＦＴの先端にはギヤＧが固設されている。ギヤＧは、モーターＭによって駆動される。ギヤＧの回転角度（バタフライバルブＶの開度）は、角度位置センサーＳによって検出される。バタフライバルブＶは、モーターＭによって角度が変更される。バタフライバルブＶは、楕円形ステンレス板に被せられたゴム部分を、管路端部に押しつけたり解放したりすることで流路を開閉することで、流路を択一的に切り替える。
【００４９】
ところで、ステッピングモーターを用いることで、上述したような角度位置センサーＳを使用しない場合がある。この場合、ステッピングモーターの脱調（ステッピングモーターに通電しても回動しないために、バタフライバルブの実際の角度が、演算によって求められる角度に対してズレる現象）によって、バタフライバルブの角度が予定角度と異なる場合がある。厳密には故障ではないかもしれないが、脱調状態（中間開度で停止した状態）で暖房運転を行うと、風呂の湯温が高くなり過ぎたり、浴室の暖房の効きが悪いなどの不具合が生じる。また、角度位置センサーを用いたとしても、角度位置センサーにリード線をハンダ付けする際に用いる塩化亜鉛等のハンダペーストが、角度位置センサーの検出面上にある銅箔を腐食させ、角度位置センサーの接触部分の接触不良によってバタフライバルブの角度を誤検出する場合がある。前記の２つのパターンでは、いきなり本来の１００％開度が７０％開度のように急変し、不具合を生じる。ところで、２つのゴムをかぶせたバタフライバルブは、切り替える管路端部にゴム部分を押しつけることで閉止している。このとき、バタフライバルブとシャフト間を固定しているスポット溶接部分には、スポット溶接が剥がれる方向に力が加わる。スポット溶接時の溶接電流が適切でなかった場合には、金属疲労により溶接が剥がれ、本来の１００％開度が８５％開度となり、さらに剥がれて７０％開度のようにゆっくり異常が進行する場合がある。このようにいきなり開度に異常が生じる故障とゆっくり進行する故障がある。次に故障時の湯水の流れについて説明する。
【００５０】
最初に、図８を参照して、風呂戻り三方弁３２が故障して中間開度で停止した場合について説明する。理解しやすいように具体的な数値を用いて、本来の１００％開度ではなく７０％開度であった場合を例に挙げて説明する。
【００５１】
循環ポンプ２２０で圧送されて、追い焚き暖房熱交換器２２で加熱された湯が、湯往き管２２１→風呂往き三方弁３１→暖房往き管５１１→暖房熱交換器５１→暖房戻り管５１２、と流れてエアセパレーター３３に送られる。三方弁３２が本来の１００％開度（エアセパレーター接続管３３１側１００％開度、風呂戻り管４１２側０％開度）であれば、エアセパレーター３３に送られてきた全量をエアセパレーター接続管３３１を通じて三方弁３２→湯戻り管２２２へと送るが、三方弁３２が本来の７０％開度（エアセパレーター接続管３３１側７０％開度、風呂戻り管４１２側３０％開度）なので、エアセパレーター３３に送られてきた７０％の流量しかエアセパレーター接続管３３１を通じて三方弁３２→湯戻り管２２２に流すことができない。エアセパレーター３３では、行き場を失った３０％が、エアセパレーター３３から溢れてオーバーフローパイプ３３２に流出する。そして、オーバーフローパイプ３３２→風呂往き管４１１→循環金具４１、と流れて浴槽４０に到達する。
【００５２】
循環ポンプ２２０の吸引に対する不足分（風呂戻り管４１２側３０％開度分）は、浴槽４０から補填されることとなり、浴槽４０の湯水が循環金具４１から風呂戻り管４１２を介して風呂戻り三方弁３２に到達する。そして、この湯水が、エアセパレーター接続管３３１を流れて風呂戻り三方弁３２に到達した湯水（エアセパレーター接続管３３１側７０％開度分）とともに、湯戻り管２２２（１００％分）を流れる。このとき湯戻り管２２２を流れる湯の温度は、本来の温度（風呂戻り三方弁３２が故障していない場合の温度）に比べて低くなっている。そしてその湯が追い焚き暖房熱交換器２２に到達して加熱される。
【００５３】
このように、風呂戻り三方弁３２が中間開度で停止した場合は、暖房熱交換器５１を通った湯の一部がエアセパレーター３３から溢れてオーバーフローパイプ３３２に流出し、浴槽４０に到達することとなる。循環金具４１から噴出する湯量が十分多ければ、噴出湯が浴槽を攪拌し、浴槽の温度がほぼ一様に分布し、浴槽４０の湯温が全体的に上昇する。通常は、毎分４リットル程度の湯が供給され、この程度の湯量であれば浴槽内が十分に攪拌される。しかしながら、循環金具４１から噴出する湯量が少なければ、湯が浴槽を攪拌することなく上方に浮いてしまって高温（たとえば６０℃）の湯の層が形成されることとなる。たとえば風呂戻り三方弁３２が故障して３０％程度の湯が漏れる場合は循環金具４１から噴出する湯量は毎分１．２リットル程度であり、この程度の湯量では、循環金具４１が推奨している取付位置（浴槽底辺から１００〜１５０ｍｍ位）から逸脱して、浴槽底辺から１５０ｍｍ以上離れた位置に取り付けられた場合に、浴槽内が攪拌されない。例えば、入浴予定時間の１０分程度前から暖房運転が開始されるので、上方に浮いてしまって高温の湯の層は１２リットル程度となる。浴槽には後述するように、種々のタイプがあり、洋型浴槽のように水面の面積が広い（水深が低い）浴槽の場合には、この層の厚みは例えば１ｃｍ位なので、入浴による衝撃で層が霧散し、問題とはならないが、和型浴槽の場合には例えば層の厚みが２ｃｍ位以上となる場合があり、このような厚みであると、入浴時に衝撃を受け、このときの動揺で足を滑らせるような事態を生じる恐れがあるので、３０％程度の湯が漏れる場合は、層の厚みが１ｃｍ位の例えば暖房運転開始から５分位以内で風呂戻り三方弁３２の故障状態を把握することが好ましい。
【００５４】
続いて、図９を参照して、風呂往き三方弁３１が故障して中間開度で停止した場合について説明する。ここでも理解しやすいように、本来の１００％開度ではなく７０％開度（暖房往き管５１１側７０％開度、風呂往き管４１１側３０％開度）であった場合を例に挙げて説明する。
【００５５】
循環ポンプ２２０で圧送されて、追い焚き暖房熱交換器２２を通過して風呂往き三方弁３１に到達した湯のうち７０％の湯が暖房往き管５１１に流れ、残りの３０％の湯が風呂往き管４１１に流れる。暖房往き管５１１に流れた湯は、暖房熱交換器５１→暖房戻り管５１２→エアセパレーター３３、と流れる。一方、風呂往き管４１１に流れた湯は、オーバーフローパイプ３３２を流れてエアセパレーター３３に到達する。そして、エアセパレーター３３で合流した湯が、エアセパレーター接続管３３１→風呂戻り三方弁３２→湯戻り管２２２、と流れる。
【００５６】
このようになるので、風呂往き三方弁３１が中間開度で停止した場合は、暖房熱交換器５１を通る湯量が少なくなって暖房の効きが悪くなるとともに、湯戻り管２２２を流れる湯の温度は、本来の温度（風呂往き三方弁３１が故障していない場合の温度）に比べて高くなる。
【００５７】
次に、図１０を参照して、風呂往き三方弁３１及び風呂戻り三方弁３２が故障して中間開度で停止した場合について説明する。ここでは理解しやすいように、風呂往き三方弁３１は、本来の１００％開度ではなく６０％開度（暖房往き管５１１側６０％開度、風呂往き管４１１側４０％開度）であり、風呂戻り三方弁３２は、本来の１００％開度ではなく７０％開度（エアセパレーター接続管３３１側７０％開度、風呂戻り管４１２側３０％開度）であった場合を例に挙げて説明する。
【００５８】
循環ポンプ２２０で圧送されて、追い焚き暖房熱交換器２２を通過して風呂往き三方弁３１に到達した湯のうち６０％の湯が暖房往き管５１１に流れ、残りの４０％の湯が風呂往き管４１１に流れる。
【００５９】
暖房往き管５１１に流れた湯（流量の６０％）は、暖房熱交換器５１→暖房戻り管５１２→エアセパレーター３３、と流れる。また風呂往き管４１１に流れた湯（流量の４０％）の一部（流量の１０％）は、循環ポンプ２２０の吸引力の影響を受けて（風呂戻り三方弁３２では流量の７０％をエアセパレーター接続管３３１から吸引を受けて）オーバーフローパイプ３３２に分岐してエアセパレーター３３に流れる。このように分流した後、エアセパレーター３３で合流した湯は、循環ポンプ２２０の吸引力によってエアセパレーター接続管３３１を流れて風呂戻り三方弁３２に到達する。
【００６０】
風呂往き管４１１に流れた湯の残り（流量の３０％。循環ポンプ２２０で吸引、圧送される流量が毎分４リットルなら１．２リットル程度）は、循環金具４１から浴槽４０に流入する。そして、循環ポンプ２２０の吸引に対する不足分を補填すべく、浴槽４０の湯が吸引されて風呂戻り管４１２を通過して風呂戻り三方弁３２に到達する。
【００６１】
そして風呂戻り三方弁３２で合流した湯は、湯戻り管２２２を通って、再び、追い焚き暖房熱交換器２２で加熱される。
【００６２】
このようになるので、風呂往き三方弁３１及び風呂戻り三方弁３２が中間開度で停止した場合は、追い焚き暖房熱交換器２２で加熱されて暖房熱交換器５１に向かう湯の一部が浴槽４０に流入し、上方に浮いてしまって高温（たとえば７０℃）の湯の層が形成されることとなる（風呂往き三方弁３１及び風呂戻り三方弁３２の両方が、風呂往き三方弁３１の開度＜風呂戻り三方弁３２の開度の状態で故障すると、浴槽４０に流入する温度は、たとえば７０℃と高温となるので非常に浮力が高い（浴槽４０に流入する水量が１．２リットルと少ないと浴槽内は攪拌されない）。この結果、循環金具４１が推奨している取付位置（浴槽底辺から１００〜１５０ｍｍ位）から逸脱して、浴槽が深い和型浴槽に良く見かける浴槽底辺から１５０ｍｍ以上離れた位置に取り付けられていた場合には、循環金具４１から出た高温の湯の流れが底辺に至る前に浮力の方が勝ち、また循環金具４１の吸引力（浴槽４０に流入水量が１リットル以下の場合に多く発生する風呂戻り管４１２の流れによるショートサーキット現象による吸引力）が働きにくい遠方で上昇に転じるので、高温（たとえば７０℃）の湯の層が形成されやすい状況がそろい、浴槽水の表面に高温の湯の層が形成される）。また暖房熱交換器５１を通る湯量が少なくなって暖房の効きが悪くなる。なお湯戻り管２２２を流れる湯の温度は、本来の温度（風呂往き三方弁３１及び風呂戻り三方弁３２が故障していない場合の温度）に比べて低くなる。なお、風呂往き三方弁３１の開度＜風呂戻り三方弁３２の開度なら、上述のようにオーバーフローパイプ３３２内の湯水はエアセパレーター３３方向に流れるが、風呂往き三方弁３１の開度＞風呂戻り三方弁３２の開度なら、オーバーフローパイプ３３２内の湯水は逆方向に流れる。
【００６３】
以上説明したように、風呂往き三方弁３１・風呂戻り三方弁３２が故障すると、不具合が生じるので、風呂往き三方弁３１・風呂戻り三方弁３２の故障を把握することが重要である。そこで発明者は、風呂往き三方弁３１・風呂戻り三方弁３２が故障すると、湯戻り管２２２を流れる湯の温度が、本来の温度（風呂往き三方弁３１・風呂戻り三方弁３２が故障していない場合の温度）からズレることに着目した。湯戻り管２２２を流れる湯の温度に基づいて風呂往き三方弁３１・風呂戻り三方弁３２の故障を検出するという方法は、二缶タイプの熱交換器にも適用できるが、一缶タイプの熱交換器に適用する場合は、二缶タイプに比べて、風呂往き三方弁３１・風呂戻り三方弁３２の故障を検出することが難しく何らかの工夫が必要になる。
【００６４】
すなわち、二缶タイプの熱交換器であれば、給湯熱交換器２１及び追い焚き暖房熱交換器２２をそれぞれ別々のガスバーナーで加熱する。暖房運転中は、追い焚きガスバーナーで追い焚き暖房熱交換器２２を加熱する。加熱を開始すると、湯戻り管２２２の風呂温度センサー２２２２の温度信号は、徐々に上昇し、最終的には或る温度（定常温度）で一定となる。しかしながら、風呂戻り三方弁３２が故障していれば、浴槽４０の湯水が混入するので、本来の定常温度よりも低い温度で一定となってしまう。また風呂往き三方弁３１が故障していれば、暖房熱交換器５１に向かう高温の湯が混入するので、本来の定常温度よりも高い温度で一定となってしまう。したがって、二缶タイプの熱交換器であれば、風呂温度センサー２２２２の温度信号が、或る温度（定常温度）よりも低い温度で一定になっていれば風呂戻り三方弁３２が故障していると判定でき、或る温度（定常温度）よりも高い温度で一定になっていれば風呂往き三方弁３１が故障していると判定できる。
【００６５】
このような判定方法を、何ら工夫することなく一缶タイプの熱交換器に適用しては、風呂往き三方弁３１や風呂戻り三方弁３２の故障を誤判定するおそれがある。すなわち、一缶タイプの熱交換器では、給湯が行われることなく追い焚き・暖房のみが行われる場合には、給湯熱交換器２１の湯が沸騰することを防止すべく、湯温センサー２１２１の検出温度に基づいてガスバーナー２３のオンオフを繰り返すので、湯温が変動する。そのため、風呂戻り三方弁３２が故障していなくても風呂温度センサー２２２２の検出湯温が低いことがあり得るし、風呂往き三方弁３１が故障していなくても風呂温度センサー２２２２の検出湯温が高いこともあり得る。したがって、単に湯戻り管２２２の風呂温度センサー２２２２の温度信号にのみ基づいて、風呂往き三方弁３１や風呂戻り三方弁３２の故障を判定しては、誤判定する可能性がある。
【００６６】
そこで、発明者らは、暖房往き管５１１に暖房温度センサー５１１１を設けて、その暖房温度センサー５１１１で、暖房熱交換器５１に流入する湯の温度変動を検出するようにした。暖房熱交換器５１に流入した湯は、所定時間後に湯戻り管２２２の風呂温度センサー２２２２を通過する。そこで、この通過タイミングで湯温を検出し、この湯温が、ガスバーナー２３のオンオフ運転に起因する温度変動を考慮した温度域から外れる場合に、風呂往き三方弁３１・風呂戻り三方弁３２の故障を判定することで、誤判定を回避するようにしたのである。
【００６７】
具体的な内容を以下で説明する。
【００６８】
図１１は、本実施形態において、ガスバーナー２３をオンオフさせる暖房運転中に風呂温度センサー２２２２が検出した温度信号を示す図である。縦軸は暖房運転を開始してからの経過時間であり、横軸は温度である。
【００６９】
図１１から判るように、暖房運転が開始されると、風呂温度センサー２２２２の温度信号は、ガスバーナー２３のオンオフの影響で初期は周期的な上下変動を繰り返しながら上昇し、やがて或る温度域の範囲内で安定することとなり上下変動（交流波形）を繰り返すようになる。
【００７０】
図１２は、本実施形態において、ガスバーナー２３をオンオフさせる暖房運転中に風呂温度センサー２２２２が検出した温度信号と、暖房温度センサー５１１１が検出した温度信号とをひとつの図面に示した図である。縦軸は暖房運転を開始してからの経過時間であり、横軸は温度である。なお、ガスバーナー２３をオンオフさせる暖房運転中に風呂温度センサー２２２２が検出した温度信号は、図１１と同じである。
【００７１】
図１２から判るように、暖房運転が開始されると、暖房温度センサー５１１１の温度信号は、風呂温度センサー２２２２の温度信号と同様に、ガスバーナー２３のオンオフの影響で初期は周期的な上下変動を繰り返しながら上昇し、やがて或る温度域の範囲内で上下変動（交流波形）を繰り返すようになる。暖房温度センサー５１１１の温度信号の変動周期は、風呂温度センサー２２２２の温度信号の変動周期と同じであり、暖房温度センサー５１１１の温度のピークが現れてから、所定のタイムラグを経て、風呂温度センサー２２２２の温度のピークが現れる。図１２では、このタイムラグが２０秒程度である。これは、暖房往き管５１１（暖房温度センサー５１１１）を通過した湯が、暖房熱交換器５１・エアセパレーター３３を経由して、湯戻り管２２２（風呂温度センサー２２２２）を通過するのに、２０秒程度かかるからである。
【００７２】
また暖房温度センサー５１１１の温度信号は、風呂温度センサー２２２２の温度信号よりも温度が高い。これは、湯の熱が、暖房熱交換器５１で放熱されるからである。図１２の円で囲んだ暖房温度センサー５１１１のピーク温度は６９℃であり、風呂温度センサー２２２２のピーク温度はそれから９℃下がる。暖房温度センサー５１１１のボトム温度は６０℃であり、風呂温度センサー２２２２のボトム温度はそれから３℃下がる。
【００７３】
以上を踏まえて、発明者は、暖房温度センサー５１１１の温度信号に基づいて判定値（判定域）を設定し、暖房温度センサー５１１１で温度が検出された湯が、風呂温度センサー２２２２を通過するタイミングを考慮して（同期させて）、風呂温度センサー２２２２の温度信号が判定域内にあるか否かで、風呂往き三方弁３１・風呂戻り三方弁３２の故障を判定するようにしたのである。
【００７４】
なお、暖房温度センサー５１１１が検出する温度は、暖房熱交換器５１の手前の温度であって高温である。湯は、暖房熱交換器５１を通過して放熱して、温度が下がる。そのため、暖房温度センサー５１１１の温度信号に基づいて設定する判定値（判定域）は、その温度低下を考慮する必要がある。そこで発明者は、以下のようにして判定値（判定域）を設定するようにした。図１３の上に示した図は、図１２に示された暖房温度センサー５１１１の温度信号（波形信号）と風呂温度センサー２２２２の温度信号（波形信号）とのタイムラグがなくなるようにシフトするとともに、発明の理解が容易になるように波形をデフォルメしたものである。このようにして、暖房温度センサー５１１１の温度信号が中心軸となす面積と、風呂温度センサー２２２２の温度信号が中心軸となす面積との比を求めると、１：０．６２５であった。そこで、暖房温度センサー５１１１の温度信号に基づく判定値（判定域）は、暖房温度センサー５１１１の温度信号に対して、０．６２５の倍率をかけるようにした。そしてこのようにした場合に、風呂往き三方弁３１及び風呂戻り三方弁３２が故障していなければ、風呂温度センサー２２２２の温度信号は、暖房温度センサー５１１１の温度信号に０．６２５を乗じて１９程度を加算したものにほぼ一致した。そこで、暖房温度センサー５１１１の温度信号に０．６２５を乗じて１７を加算したものを下限判定値とし、暖房温度センサー５１１１の温度信号に０．６２５を乗じて２３を加算したものを上限判定値とするように、暖房温度センサー５１１１の温度信号に基づく判定域を設定した。このように、判定域は、下限が上限に比べて厳しめに設定されている。このようにしたのは、下限を下回るモードでは高温の湯が浴槽に流れることとなり、入浴者の火傷などのおそれが生じるので厳しめに設定したのに対して、上限を上回るモードでは高温の湯が浴槽に流れることはないので、入浴者の火傷などのおそれがないからである。
【００７５】
具体的には、図１４にあるように、図１２の暖房温度センサー５１１１の温度信号に係数１を掛けた面積（波形信号）と風呂温度センサー２２２２の温度信号に係数１を掛けた面積（波形信号）の面積の比は１：０．６２５である。したがって暖房温度センサー５１１１の温度信号に係数０．６２５を掛けた面積（波形信号）と風呂温度センサー２２２２の温度信号に係数１を掛けた面積（波形信号）の面積の比は１：１となる。このことを確認するために、後述の図２５に示される暖房温度センサー５１１１の温度信号に係数０．６２５を掛けた波形（波形信号）と風呂温度センサー２２２２の温度信号に係数１を掛けた波形（波形信号）の面積の比は１：１となることも図１４に示した。２つの波形は酷似し、判定値として用いることが適切であることが見て取れる。
【００７６】
以上のようにして、暖房温度センサー５１１１の温度信号に基づいて設定した判定域（ＯＫゾーン）が図１５のようになる。風呂温度センサー２２２２の温度信号がこの判定域（ＯＫゾーン）から外れれば、風呂往き三方弁３１及び／又は風呂戻り三方弁３２が故障していると判定するようにしたのである。
【００７７】
続いて、フローチャートを参照して具体的な制御内容について説明する。
【００７８】
図１６は、暖房運転中のガスバーナー２３のオンオフ制御について説明するフローチャートである。この制御は、所定の微小時間サイクルで繰り返し実行される。
【００７９】
ステップＳ１１において、コントローラーは、暖房運転が始まるまでは処理をスキップし、暖房運転中はステップＳ１２へ処理を移行する。
【００８０】
ステップＳ１２において、コントローラーは、湯温センサー２１２１の信号に基づいて、給湯熱交換器２１を通過する湯の温度が基準温度よりも高いか否かを判定する。コントローラーは、判定結果が否であればステップＳ１３へ処理を移行し、判定結果が肯であればステップＳ１４へ処理を移行する。なお「基準温度」は給湯熱交換器２１内の湯水を沸騰させないための温度であり予め設定されている。
【００８１】
ステップＳ１３において、コントローラーは、ガスバーナー２３をオン、すなわちガスバーナー２３を燃焼させる。
【００８２】
ステップＳ１４において、コントローラーは、ガスバーナー２３をオフ、すなわちガスバーナー２３を停止させる。
【００８３】
図１７は、風呂往き三方弁３１・風呂戻り三方弁３２の異常診断制御について説明するフローチャートである。この制御は、たとえば０．２秒サイクルで繰り返し実行される。
【００８４】
ステップＳ２１において、コントローラーは、暖房運転が始まるまでは処理をスキップし、暖房運転中はステップＳ２２へ処理を移行する。
【００８５】
ステップＳ２２において、コントローラーは、カウンターＮをインクリメントする。なおカウンターＮの初期値はゼロである。
【００８６】
ステップＳ２３において、コントローラーは、暖房温度センサー５１１１が検出した温度信号をＴ１（Ｎ）に格納する。
【００８７】
ステップＳ２４において、コントローラーは、風呂温度センサー２２２２が検出した温度信号をＴ２（Ｎ）に格納する。
【００８８】
ステップＳ２５において、コントローラーは、カウンターＮが１２００よりも大きいか否かを判定する。コントローラーは、判定結果が否であれば一旦処理を抜け、判定結果が肯であればステップＳ２６へ処理を移行する。なおこのフローチャートは、上述のように０．２秒サイクルで繰り返し実行されているので、カウンターＮが１２００よりも大きいというのは、処理を開始してから２４０秒（４分）が経過したことを意味する。図１１に示されているように、暖房運転を開始してから４分程度は、暖房熱交換器５１の温度が低く、暖房熱交換器５１から出てくる湯温が安定しないので、この範囲での誤判定を防止すべく、ステップＳ２６以降をスキップしている。
【００８９】
ステップＳ２６において、コントローラーは、異常を判定済みであるか否かを判定する。コントローラーは、判定結果が否であればステップＳ２７へ処理を移行し、判定結果が肯であればステップＳ２８へ処理を移行する。なお異常判定は、ステップＳ２７で行われるが、この図１７のフローチャートは、たとえば０．２秒サイクルで繰り返し実行されるので、今回サイクルのステップＳ２７で異常を判定したら、次回以降のサイクルではステップＳ２６→Ｓ２８と処理される。
【００９０】
ステップＳ２７において、コントローラーは、異常判定処理を実行する。詳細は後述される。
【００９１】
ステップＳ２８において、コントローラーは、異常時処理を実行する。詳細は後述される。
【００９２】
図１８は、異常判定処理について説明するフローチャートである。
【００９３】
ステップＳ２７１において、コントローラーは、下限判定値Ｔ＿ｍｉｎ及び上限判定値Ｔ＿ｍａｘを設定する。具体的には次式（１−１）（１−２）のように設定する。
【００９４】
【数１】
0006599711.tif 000002
【００９５】
上述のようにこのフローチャートは、０．２秒サイクルで繰り返し実行されているので、「Ｔ１（Ｎ−１００）」とは、２０秒前の暖房温度センサー５１１１が検出した温度信号を意味する。なお配管長はシステムの仕様によって変わるので、暖房温度センサー５１１１の温度信号と風呂温度センサー２２２２の温度信号とのタイムラグ、すなわち、暖房往き管５１１（暖房温度センサー５１１１）を通過した湯が、暖房熱交換器５１・エアセパレーター３３を経由して、湯戻り管２２２（風呂温度センサー２２２２）を通過するまでに要する時間が変わるため、「Ｎ−１００」については、仕様に応じて「Ｎ−８０」「Ｎ−２００」というように適宜設定すればよい。
【００９６】
ステップＳ２７２において、コントローラーは、現時点で風呂温度センサー２２２２が検出した温度信号が、２０秒前の暖房温度センサー５１１１が検出した温度信号に基づいて設定された下限判定値よりも小さいか否かを判定する。具体的には、次式（２）に基づいて判定する。
【００９７】
【数２】
0006599711.tif 000003
【００９８】
コントローラーは、判定結果が肯であればステップＳ２７３へ処理を移行し、判定結果が否であればステップＳ２７３をスキップする。
【００９９】
ステップＳ２７３において、コントローラーは、風呂戻り三方弁３２に異常があると判定する。
【０１００】
ステップＳ２７４において、コントローラーは、現時点で風呂温度センサー２２２２が検出した温度信号が、２０秒前の暖房温度センサー５１１１が検出した温度信号に基づいて設定された上限判定値よりも大きいか否かを判定する。具体的には、次式（３）に基づいて判定する。
【０１０１】
【数３】
0006599711.tif 000004
【０１０２】
コントローラーは、判定結果が肯であればステップＳ２７５へ処理を移行し、判定結果が否であればステップＳ２７５をスキップする。
【０１０３】
ステップＳ２７５において、コントローラーは、風呂往き三方弁３１に異常があると判定する。
【０１０４】
図１９は、風呂戻り三方弁３２の異常時処理について説明するフローチャートである。
【０１０５】
ステップＳ２８１において、コントローラーは、漏れ割合を算出済みか否かを判定する。コントローラーは、判定結果が否であればステップＳ２８２へ処理を移行し、判定結果が肯であればステップＳ２８３へ処理を移行する。なお漏れ割合の算出は、ステップＳ２８２で行われるが、この図１９のフローチャートは、たとえば０．２秒サイクルで繰り返し実行されるので、今回サイクルのステップＳ２８２で漏れ割合が算出されたら、次回以降のサイクルではステップＳ２８１→Ｓ２８３と処理される。
【０１０６】
ステップＳ２８２において、コントローラーは、漏れ割合を算出する。詳細は後述される。
【０１０７】
ステップＳ２８３において、コントローラーは、暖房運転の中止タイミングを算出済みか否かを判定する。コントローラーは、判定結果が否であればステップＳ２８４へ処理を移行し、判定結果が肯であればステップＳ２８５へ処理を移行する。なお暖房運転の中止タイミングの算出は、ステップＳ２８４で行われるが、この図１９のフローチャートは、たとえば０．２秒サイクルで繰り返し実行されるので、今回サイクルのステップＳ２８４で中止タイミングが算出されたら、次回以降のサイクルではステップＳ２８３→Ｓ２８５と処理される。
【０１０８】
ステップＳ２８４において、コントローラーは、暖房運転の中止タイミングを算出する。詳細は後述される。
【０１０９】
ステップＳ２８５において、コントローラーは、暖房運転の中止タイミングになったか否かを判定する。コントローラーは、判定結果が肯になるまでステップＳ２８６をスキップし、判定結果が肯になったらステップＳ２８６へ処理を移行する。
【０１１０】
ステップＳ２８６において、コントローラーは、暖房運転を強制的に中止する。
【０１１１】
図２０は、漏れ割合の算出処理について説明するフローチャートである。
【０１１２】
ステップＳ２８２１において、コントローラーは、風呂戻り三方弁３２の異常を判定したときに用いた温度信号Ｔ１（Ｎ−１００）の以降、Ｔ１がピークになるのが先かボトムになるのが先かを判定する。コントローラーは、Ｔ１が先にピークになると判定した場合はステップＳ２８２２へ処理を移行し、Ｔ１が先にボトムになると判定した場合はステップＳ２８２４へ処理を移行する。
【０１１３】
ステップＳ２８２２において、コントローラーは、Ｔ１が実際にピークになるタイミングまではステップＳ２８２３をスキップし、Ｔ１が実際にピークになるタイミングでステップＳ２８２３へ処理を移行する。
【０１１４】
ステップＳ２８２３において、コントローラーは、次式（４）に基づいて漏れ割合ｒを算出する。
【０１１５】
【数４】
0006599711.tif 000005
【０１１６】
この式（４）は以下のようにして求められたものである。すなわち、ガスバーナー２３の燃焼中に加熱されてピーク温度（６９℃）となった湯は、暖房熱交換器５１から出ると６９−９（＝６０℃）となる。また浴槽４０から風呂戻り三方弁３２に流れる湯の温度が４２℃，その湯が風呂戻り三方弁３２を通過する割合（漏れ割合）がｒであれば、両湯が混合した温度Ｔ２は次式（５）で表される。
【０１１７】
【数５】
0006599711.tif 000006
【０１１８】
この式（５）をｒについて解いて式（４）が得られる。なおガスバーナー２３の燃焼中に加熱された湯のピーク温度は、図１２に示されているように必ずしも一定ではないが、ピーク温度が高ければ暖房熱交換器５１での放熱も多くなり、だいたい６０℃程度になって暖房熱交換器５１から出るので、式（４）は妥当である。
【０１１９】
ステップＳ２８２４において、コントローラーは、Ｔ１が実際にボトムになるタイミングまではステップＳ２８２５をスキップし、Ｔ１が実際にボトムになるタイミングでステップＳ２８２５へ処理を移行する。
【０１２０】
ステップＳ２８２５において、コントローラーは、次式（６）に基づいて漏れ割合ｒを算出する。
【０１２１】
【数６】
0006599711.tif 000007
【０１２２】
この式（６）は以下のようにして求められたものである。すなわち、ガスバーナー２３の燃焼中に加熱されてボトム温度（６０℃）となった湯は、暖房熱交換器５１から出ると６０−３（＝５７℃）となる。また浴槽４０から風呂戻り三方弁３２に流れる湯の温度が４２℃，その湯が風呂戻り三方弁３２を通過する割合（漏れ割合）がｒであれば、両湯が混合した温度Ｔ２は次式（７）で表される。
【０１２３】
【数７】
0006599711.tif 000008
【０１２４】
この式（７）をｒについて解いて式（６）が得られる。
【０１２５】
図２１は、暖房運転を中止するタイミングの算出処理について説明するフローチャートである。
【０１２６】
ステップＳ２８４１において、コントローラーは、浴槽タイプに応じた許容湯量を取得する。浴槽タイプには、和型，洋型，和洋折衷型がある。和型は、図２２（Ａ）に示されるように、浴槽の底から浴槽壁が直立する角筒形のタイプであり、浴槽底面から浴槽上端にかけて浴槽の断面積（開口面積）がほぼ等しい。洋型は、図２２（Ｃ）に示されるように、浴槽の底から浴槽壁が傾斜しているタイプであり、浴槽底面から浴槽上端に向かうにつれて浴槽断面積（開口面積）が広くなる。和洋折衷型は、図２２（Ｂ）に示されるように、和型と洋型の折衷タイプである。
【０１２７】
和型は、平均的には２００リットル程度の湯が溜められ、この場合、４０ｃｍ程度の水深になる。上述したように、循環金具４１から噴出する湯量が少なければ、湯が浴槽を攪拌せずに、上方に浮いてしまって高温の湯の層が形成される。この湯の層が１ｃｍ程度であれば、人が浴槽の湯に足を入れることで高温の湯の層がすぐに壊れて通常の湯と混ざる。たとえば４２℃の湯の３％（６リットル）が６０℃の湯の層に入れ替わっていても、４２℃の湯と混ざると、次式（８）のように、４２．５℃の湯となる。
【０１２８】
【数８】
0006599711.tif 000009
【０１２９】
この程度であれば、高温の湯の層が形成されていても、人が浴槽の湯に足を入れて高温の湯の層が壊れることで、特段、火傷などのおそれがない。したがって、２００リットル程度の湯が溜められる和型の浴槽の許容湯量としては、たとえば６リットルが設定されている。
【０１３０】
浴槽タイプが和洋折衷型，洋型となるにつれて、溜められる湯量が増え、また浴槽断面積（開口面積）が広くなるので、同じ１ｃｍの層であっても、和洋折衷型，洋型となるにつれて、湯量が多くなる。そこで、許容湯量は、浴槽タイプに応じて設定されている。
【０１３１】
ステップＳ２８４２において、コントローラーは、運転中止タイミングｔを算出する。具体的には、次式（９）に基づいて求める。
【０１３２】
【数９】
0006599711.tif 000010
【０１３３】
この式（９）において、「６」は許容湯量[リットル]であり、「４」は通常供給される湯量[リットル毎分]、「ｒ」は漏れ割合である。
【０１３４】
次に、図２３を参照して、コントローラーの処理を説明する。なお以下では、上述のフローチャートとの対応が分かりやすくなるように、フローチャートのステップ番号を適宜記載する。
【０１３５】
コントローラーは、暖房運転中に、給湯熱交換器２１を通過する湯の温度が基準温度よりも低ければガスバーナー２３を燃焼させ（Ｓ１３）、基準温度よりも高ければガスバーナー２３を停止させる（Ｓ１４）。そのため、風呂温度センサー２２２２が検出した温度信号Ｔ２は、初期は周期的な上下変動を繰り返しながら上昇し、やがて或る温度域の範囲内で上下変動（交流波形）を繰り返すようになる。
【０１３６】
またコントローラーは、暖房運転中に、カウンターＮをインクリメントして（Ｓ２２）、暖房温度センサー５１１１が検出した温度信号をＴ１（Ｎ）に格納するとともに（Ｓ２３）、風呂温度センサー２２２２が検出した温度信号をＴ２（Ｎ）に格納する（Ｓ２４）。カウンターＮが１２００を超えるまで、コントローラーは、ステップＳ２１→Ｓ２２→Ｓ２３→Ｓ２４→Ｓ２５を繰り返し処理する。
【０１３７】
コントローラーは、カウンターＮが１２００を超えたら（すなわち暖房運転を開始して４分が経過したら）、ステップＳ２５→Ｓ２６→Ｓ２７と処理して、異常判定を行う。具体的には、２０秒前の暖房温度センサー５１１１が検出した温度信号Ｔ１（Ｎ−１００）に基づいて下限判定値及び上限判定値を設定する（Ｓ２７１）。そして、現時点で風呂温度センサー２２２２が検出した温度信号Ｔ２（Ｎ）が、温度信号Ｔ１（Ｎ−１００）に基づいて設定された下限判定値よりも小さいか否かを判定するとともに（Ｓ２７２）、温度信号Ｔ２（Ｎ）が、温度信号Ｔ１（Ｎ−１００）に基づいて設定された上限判定値よりも大きいか否かを判定する（Ｓ２７４）。異常がなければ、コントローラーは、ステップＳ２１→Ｓ２２→Ｓ２３→Ｓ２４→Ｓ２５→Ｓ２６→Ｓ２７→Ｓ２７１→Ｓ２７２→Ｓ２７４を繰り返し処理する。この場合、図２３に示されるように、温度信号Ｔ２が上限判定値と下限判定値との間の正常範囲に収まっている。すなわち交流波形の温度信号Ｔ２を、交流波形の下限判定値及び交流波形の上限判定値で、同期させて判断している。
【０１３８】
温度信号Ｔ２（Ｎ）が、下限判定値を下回った場合は、コントローラーは、ステップＳ２７２→Ｓ２７３と処理して、次サイクルでは、ステップＳ２１→Ｓ２２→Ｓ２３→Ｓ２４→Ｓ２５→Ｓ２６→Ｓ２８→Ｓ２８１→Ｓ２８２を処理する。そして図２３ではＴ１がピークよりも先にボトムになるので、コントローラーは、ステップＳ２８２１→Ｓ２８２４と処理して、Ｔ１が実際にボトムになるまで、ステップＳ２１→Ｓ２２→Ｓ２３→Ｓ２４→Ｓ２５→Ｓ２６→Ｓ２８→Ｓ２８１→Ｓ２８２→Ｓ２８２１→Ｓ２８２４を繰り返し処理し、Ｔ１が実際にボトムになったらステップＳ２８２４→Ｓ２８２５と処理して漏れ割合ｒを求める。このタイミングでの温度信号Ｔ２が５２．５℃であれば、式（６）から漏れ割合ｒ＝０．３（３０％）が求まる。
【０１３９】
漏れ割合が求められたので次サイクルでは、コントローラーは、ステップＳ２８１→Ｓ２８３→Ｓ２８４→Ｓ２８４１→Ｓ２８４２と処理して、式（９）に基づいて暖房運転中止タイミングｔを求める。ここでは、漏れ割合ｒ＝０．３（３０％）であるので、暖房運転中止タイミングｔ＝５分が得られる。
【０１４０】
暖房運転中止タイミングが求められたので次サイクルでは、コントローラーは、ステップＳ２８３→Ｓ２８５と処理する。暖房運転中止タイミングになるまで、コントローラーは、ステップＳ２１→Ｓ２２→Ｓ２３→Ｓ２４→Ｓ２５→Ｓ２６→Ｓ２８→Ｓ２８１→Ｓ２８３→Ｓ２８５を繰り返し処理する。暖房運転中止タイミングになったら、コントローラーは、ステップＳ２８５→Ｓ２８６を処理して、暖房運転を中止する。
【０１４１】
以上説明したように、本実施形態によれば、暖房往き湯温センサー５１１１で検出した湯温に基づいて判定域（上限判定値及び下限判定値）を設定し、戻り湯温センサー２２２２で検出した温度が、前記下限判定値よりも小さいときには風呂戻り三方弁３２の異常を判定し、前記上限判定値よりも大きいときには風呂往き三方弁３１の異常を判定するようにした。このようにしたので、湯温が変動するようなシステムであっても、風呂往き三方弁３１・風呂戻り三方弁３２の異常を判定することが可能である。
【０１４２】
また暖房往き通路５１１の暖房往き湯温センサー５１１１を通過した湯が、暖房熱交換器５１を経由して、追い焚き循環戻り通路２２２の戻り湯温センサー２２２２を通過するまでに要する時間を遡ったタイミングで、暖房往き湯温センサー５１１１で検出した湯温に基づいて上限判定値及び下限判定値を設定するようにした。このようにしたので、給湯せずに追い焚き・暖房する場合にガスバーナーをオンオフして燃焼・停止を繰り返すことで湯温が変動するようなシステムであっても、風呂往き三方弁３１・風呂戻り三方弁３２の異常を判定することが可能である。
【０１４３】
さらに暖房運転を開始してから湯温が安定するまでの所定時間が経過した後に、異常判定を開始するようにした。このようにしたので、誤判定を防止できる。
【０１４４】
さらにまた風呂戻り三方弁３２の異常を判定した後、風呂戻り三方弁３２から漏れる湯の量が、許容湯量を超えるまでは暖房運転を中止せず、許容湯量を超えたら暖房運転を中止するようにした。このようにしたので、浴槽湯温が高くなりすぎるのを防止しつつ、できる限り、暖房を中止することを回避することができる。
【０１４５】
また許容湯量は、浴槽タイプに応じて設定されるので、浴槽タイプに応じてできる限り暖房を中止することを回避することができる。
【０１４６】
（第２実施形態）
図２４は、第２実施形態の風呂往き三方弁３１・風呂戻り三方弁３２の異常診断制御について説明するフローチャートである。この制御は、たとえば０．２秒サイクルで繰り返し実行される。なお以下では前述と同様の機能を果たす部分には同一の符号を付して重複する説明を適宜省略する。
【０１４７】
第１実施形態では、上述のように、現時点で風呂温度センサー２２２２が検出した温度信号Ｔ２（Ｎ）が、２０秒前の暖房温度センサー５１１１が検出した温度信号Ｔ１（Ｎ−１００）に基づいて設定された判定値と比較することで、異常の有無を判定していた。しかしながら、このようにすると、図２３から判るように、温度信号Ｔ２（Ｎ）も判定値も大きく変動するので、外乱などの影響を受けてしまうおそれがある。そこでこの第２実施形態では、暖房温度センサー５１１１が検出した温度信号及び風呂温度センサー２２２２が検出した温度信号の移動平均値に基づいて異常の有無を判定する。具体的には以下である。
【０１４８】
ステップＳ２３１において、コントローラーは、暖房温度センサー５１１１が検出した温度信号をＴ１０（Ｎ）に格納する。
【０１４９】
ステップＳ２３２において、コントローラーは、Ｔ１０（Ｎ）に基づく移動平均温度をＴ１（Ｎ）に格納する。なおＴ１（Ｎ）は、たとえば次式（１０）のようにＴ１０（Ｎ）の１００サンプルの平均値から計算できる。
【０１５０】
【数１０】
0006599711.tif 000011
【０１５１】
ステップＳ２４１において、コントローラーは、風呂温度センサー２２２２が検出した温度信号をＴ２０（Ｎ）に格納する。
【０１５２】
ステップＳ２４２において、コントローラーは、Ｔ２０（Ｎ）に基づく移動平均温度をＴ２（Ｎ）に格納する。なおＴ２（Ｎ）は、たとえば次式（１１）のようにＴ２０（Ｎ）の１００サンプルの平均値から計算できる。
【０１５３】
【数１１】
0006599711.tif 000012
【０１５４】
その他の処理は、第１実施形態の図１７と同様であるので説明を省略する。
【０１５５】
以上のようにして求めたＴ１（Ｎ），Ｔ２（Ｎ）を用いて、第１実施形態と同様の処理を行うことで、異常の有無を判定する。
【０１５６】
図２５は、この第２実施形態を実行したときの判定値及びＴ２（Ｎ）の変化を示す図である。
【０１５７】
この第２実施形態では、暖房往き通路５１１の暖房往き湯温センサー５１１１を通過した湯が、暖房熱交換器５１を経由して、追い焚き循環戻り通路２２２の戻り湯温センサー２２２２を通過するまでに要する時間を遡ったタイミングを含む所定期間中に暖房往き湯温センサー５１１１で検出した湯温の移動平均値に基づいて上限判定値及び下限判定値を設定するようにしている。このようにすることで、図２５に示されているように、判定値及びＴ２（Ｎ）の変化が第１実施形態に比べて鈍（なま）されることとなり、外乱の影響を排除できるようになった。なおこの図２５は、サンプル数１００（２０［秒］＝１００［サンプル数］×０．２［秒／サンプル］）の移動平均した図である。また拡大図に示されているように、浴槽４０の４２℃の湯が３０％混入する場合だけでなく、浴槽４０の４８℃の湯が３０％混入する場合も、風呂戻り三方弁３２の故障を判定できるようになった。なおぬるい湯を好む人，熱い湯を好む人がいるので、浴槽の湯温は、３７〜４８℃の範囲で設定でき、４８℃の湯が混入することがある。
【０１５８】
（第３実施形態）
図２６は、第３実施形態の異常判定処理について説明するフローチャートである。
【０１５９】
ステップＳ２７１１において、コントローラーは、カウンターＮが１５００よりも大きいか否かを判定する。コントローラーは、判定結果が否であればステップＳ２７１２へ処理を移行し、判定結果が肯であればステップＳ２７１３へ処理を移行する。なおこのフローチャートは、上述のように０．２秒サイクルで繰り返し実行されているので、カウンターＮが１５００よりも大きいというのは、処理を開始してから３００秒（５分）が経過したことを意味する。湯温は、暖房運転を開始してから４分程度経過すると、温度が安定するので異常判定を実行できるが、暖房運転を開始してから５分程度経過すると、温度がさらに安定するので、判定域を狭めることで精緻な判定ができることとなる。
【０１６０】
ステップＳ２７１２において、コントローラーは、下限判定値Ｔ＿ｍｉｎとして第１下限判定値を設定するとともに、上限判定値Ｔ＿ｍａｘとして第１上限判定値を設定する。具体的には次式（１２−１）（１２−２）のように設定する。
【０１６１】
【数１２】
0006599711.tif 000013
【０１６２】
ステップＳ２７１３において、コントローラーは、下限判定値Ｔ＿ｍｉｎとして第２下限判定値を設定するとともに、上限判定値Ｔ＿ｍａｘとして第２上限判定値を設定する。具体的には次式（１３−１）（１３−２）のように設定する。
【０１６３】
【数１３】
0006599711.tif 000014
【０１６４】
なおこのように設定した判定域においても、下限が上限に比べて厳しめに設定されている。下限を下回るモードでは高温の湯が浴槽に流れることとなり、入浴者の火傷などのおそれが生じるのでマージンを小さく設定したのに対して、上限を上回るモードでは高温の湯が浴槽に流れることはないので、マージンを大きく設定してある。
【０１６５】
そしてステップＳ２７２以降では、このようにして設定した下限判定値Ｔ＿ｍｉｎ及び上限判定値Ｔ＿ｍａｘを用いて、異常判定を行う。ステップＳ２７２以降の処理は、第１実施形態の図１８と同様であるので説明を省略する。
【０１６６】
図２７は、この第３実施形態を実行したときの判定値及びＴ２（Ｎ）の変化を示す図である。なおここでは、風呂往き三方弁３１・風呂戻り三方弁３２の異常診断制御は図２４のフローチャートを実行して、暖房温度センサー５１１１が検出した温度信号及び風呂温度センサー２２２２が検出した温度信号の移動平均値に基づいて異常の有無を判定している。
【０１６７】
暖房運転を開始して、４分が経過したら異常判定を行う。この場合は、第１下限判定値及び第１上限判定値を用いて異常を判定する。風呂の湯が高温（４８℃）の場合であっても、混入割合が３０％であれば、図２７に示されるようにＴ２が第１下限判定値を下回るので、風呂戻り三方弁３２の故障を判定することができる。なおこの図２７はサンプル数１００（２０［秒］＝１００［サンプル数］×０．２［秒／サンプル］）の移動平均した図である。
【０１６８】
暖房運転を開始して、５分が経過したら、第２下限判定値及び第２上限判定値を用いて異常を判定する。この場合は、判定域が狭まり、風呂の湯が高温（４８℃）の場合であっても１５％の混入で、図２７に示されるようにＴ２が第２下限判定値を下回ることとなって、風呂戻り三方弁３２の故障を判定することができる。すなわちゆっくり進行する故障の初期段階（１５％の混入）で故障を判定することができ、漏れ量が多くなって利用者に迷惑をかける前に故障を発見することができる。交流波形の第２下限判定値の最大値＞交流波形の第２上限判定値の最小値のように、下限判定値のほうが上限判定値よりも大きい値となる部分を生じさせるようにして、交流波形である風呂温度センサー２２２２が検出する温度信号Ｔ２を厳しく監視するために、同期させて、判定域を狭めている。
【０１６９】
（風呂往き三方弁３１が故障の場合）
図２８に示されているように、風呂往き三方弁３１に異常がある場合は、現時点で風呂温度センサー２２２２が検出した温度信号Ｔ２が、２０秒前の暖房温度センサー５１１１が検出した温度信号に基づいて設定された上限判定値よりも大きくなり、ステップＳ２７４で肯が判定される。この場合は、上述したように、暖房熱交換器５１を通る湯量が少なくなって暖房の効きが悪くなる。ただし、風呂戻り三方弁３２に異常がある場合のように、浴槽の湯温が高くなるわけではないので、火傷などのおそれがない。そこでこの場合は、暖房運転を中止することなく継続するが、表示や音声などでワーニング処理を行う。
【０１７０】
このようにすることで、使用者は注意を促され風呂往き三方弁３１の異常を認識できるようになる。
【０１７１】
以上、本発明の実施形態について説明したが、上記実施形態は本発明の適用例の一部を示したに過ぎず、本発明の技術的範囲を上記実施形態の具体的構成に限定する趣旨ではない。
【０１７２】
たとえば、バーナーに送る燃料はガスではなく、石油であってもよい。
【０１７３】
また第２実施形態においては、移動平均値を使用しているが、サンプル数等は適宜変更してよい。その他上記に使用した具体的な数値は一例に過ぎない。仕様等によって適宜設定すればよい。
【０１７４】
上記実施形態は、適宜組み合わせ可能である。
【符号の説明】
【０１７５】
１  給湯システム
２  給湯器
２１  給湯熱交換器
２２  追い焚き暖房熱交換器
２０１  フィン
２３  バーナー（ガスバーナー）
２２１  湯往き管（追い焚き循環往き通路）
２２２  湯戻り管（追い焚き循環戻り通路）
２２２２  戻り湯温センサー
３  温水分岐ユニット
３１  風呂往き三方弁
３２  風呂戻り三方弁
３３  エアセパレーター
３３１  エアセパレーター接続管（暖房戻り通路）
３３２  オーバーフローパイプ
４０  浴槽
４１１  風呂往き管（追い焚き循環往き通路）
４１２  風呂戻り管（追い焚き循環戻り通路）
５１  暖房熱交換器
５１１  暖房往き管（暖房往き通路）
５１２  暖房戻り管（暖房戻り通路）
５１１１  暖房往き湯温センサー
Ｓ２７１，Ｓ２７１１，Ｓ２７１２，Ｓ２７１３  判定域設定部／判定域設定工程
Ｓ２７  異常判定部／異常判定工程
【図１】
0006599711.tif 000015
【図２】
0006599711.tif 000016
【図３】
0006599711.tif 000017
【図４】
0006599711.tif 000018
【図５】
0006599711.tif 000019
【図６】
0006599711.tif 000020
【図７】
0006599711.tif 000021
【図８】
0006599711.tif 000022
【図９】
0006599711.tif 000023
【図１０】
0006599711.tif 000024
【図１１】
0006599711.tif 000025
【図１２】
0006599711.tif 000026
【図１３】
0006599711.tif 000027
【図１４】
0006599711.tif 000028
【図１５】
0006599711.tif 000029
【図１６】
0006599711.tif 000030
【図１７】
0006599711.tif 000031
【図１８】
0006599711.tif 000032
【図１９】
0006599711.tif 000033
【図２０】
0006599711.tif 000034
【図２１】
0006599711.tif 000035
【図２２】
0006599711.tif 000036
【図２３】
0006599711.tif 000037
【図２４】
0006599711.tif 000038
【図２５】
0006599711.tif 000039
【図２６】
0006599711.tif 000040
【図２７】
0006599711.tif 000041
【図２８】
0006599711.tif 000042